(57)【要約】      （修正有）【課題】組立や部材の交換が容易で、緻密な画像を正確に表示できるＬＥＤ表示装置を提供する。【解決手段】ＬＥＤ表示装置１は、複数のＬＥＤ素子を配列したＬＥＤバー１０と、スクリーン２０と、ＬＥＤバーに電気的に接続した制御装置と、を有し、スクリーンは、水平方向に延在する複数の線材を垂直方向に連続してなり、複数のＬＥＤバーを、複数の線材に付設したホルダクリップ３０を介して、スクリーンの片面に着脱可能に連結したことを特徴とする。【選択図】図１
0003199413.tif 000002
【実用新案登録請求の範囲】
【請求項１】
複数のＬＥＤ素子を配列したＬＥＤバーと、スクリーンと、前記ＬＥＤバーに電気的に接続した制御装置と、を有するＬＥＤ表示装置であって、
前記スクリーンは、水平方向に延在する複数の線材を垂直方向に連続してなり、
複数の前記ＬＥＤバーを、前記複数の線材に付設したホルダクリップを介して、前記スクリーンの片面に着脱可能に連結したことを特徴とする、
ＬＥＤ表示装置。
【請求項２】
前記ＬＥＤバーは、長尺状のホルダと、前記ホルダの長手方向に沿って摺動可能に前記ホルダの内部に挿入されるＬＥＤ基板と、を有し、前記ホルダには長手方向に沿って内部と連通する開放窓が設けられ、前記複数のＬＥＤ素子は、前記ＬＥＤ基板上に配列されたことを特徴とする、請求項１に記載のＬＥＤ表示装置。
【請求項３】
前記ＬＥＤバーの後部には、前記ＬＥＤバーの長手方向に沿って結合溝が設けられ、前記ホルダクリップには前記結合溝に係合可能な結合凸部が設けられたことを特徴とする、請求項１または２に記載のＬＥＤ表示装置。
【請求項４】
前記ホルダクリップは、２つの分割体からなる分割構造であり、前記２つの分割体で、２本の前記線材を挟持して付設したことを特徴とする、請求項１乃至３のいずれか一項に記載のＬＥＤ表示装置。
【考案の詳細な説明】
【技術分野】
【０００１】
本考案はＬＥＤ表示装置に関し、特に、ＬＥＤバーとスクリーンとを組み合わせた、ＬＥＤ表示装置に関する。
【背景技術】
【０００２】
近年、発光ダイオード（Ｌｉｇｈｔ  Ｅｍｉｔｔｉｎｇ  Ｄｉｏｄｅ：ＬＥＤ）で画素を構成した大型のＬＥＤ表示装置が広く普及してきている。
【０００３】
特許文献１には、複数の分散したＬＥＤモジュールおよびフレキシブルネットを含み、ＬＥＤモジュールがマトリクス方式で配列されてフレキシブルネットに固定され、隣接するＬＥＤモジュールが横方向、縦方向とも等間隔である、ＬＥＤ表示装置が開示されている。
このＬＥＤ表示装置は、広げたフレキシブルネット上のＬＥＤモジュールにより、マトリクス図案を表示する。
【０００４】
特許文献２には、ネットの特定文字領域内のみに複数のＬＥＤを配置し、複数のＬＥＤの導線と表示を制御するための制御部を配線し、これらのＬＥＤの点灯により、文字の表示を行うＬＥＤ表示装置が開示されている。
このＬＥＤ表示装置は、ネットの複数交点に配置されるＬＥＤの点灯により、文字をドット表示する。
【先行技術文献】
【特許文献】
【０００５】
【特許文献１】実用新案登録第３１９２４８４号公報
【特許文献２】実用新案登録第３１６８７８０号公報
【考案の概要】
【考案が解決しようとする課題】
【０００６】
従来のＬＥＤ表示装置には、次のような欠点がある。
＜１＞ＬＥＤモジュールを個別にネットに取り付けなければならない。また、取り付けには工具が必要となる。よって、組立、分解に手間がかかる。
＜２＞ＬＥＤモジュールをまとめて取り外すことができない。よって、点検や修理に手間がかかる。
＜３＞各ＬＥＤモジュールが相互に固定されていないため、各ＬＥＤモジュール間の相対的位置が変化しやすく、画像を精密に表示することができない。
＜４＞ネットに柔軟性があり、各ＬＥＤモジュールが相互に固定されていないため、風によってネットが揺動するとＬＥＤモジュールが壁面や隣接するＬＥＤモジュールにぶつかり、破損することがある。
【課題を解決するための手段】
【０００７】
上記のような課題を解決するための本考案のＬＥＤ表示装置は、複数のＬＥＤ素子を配列したＬＥＤバーと、スクリーンと、ＬＥＤバーに電気的に接続した制御装置と、を有し、スクリーンは、水平方向に延在する複数の線材を垂直方向に連続してなり、複数のＬＥＤバーを、複数の線材に付設したホルダクリップを介して、スクリーンの片面に着脱可能に連結したことを特徴とする。
【０００８】
本考案のＬＥＤ表示装置は、ＬＥＤバーが、長尺状のホルダと、ホルダの長手方向に沿って摺動可能にホルダの内部に挿入されるＬＥＤ基板と、を有し、ホルダには長手方向に沿って内部と連通する開放窓が設けられ、複数のＬＥＤ素子は、ＬＥＤ基板上に配列されることが望ましい。
【０００９】
本考案のＬＥＤ表示装置は、ＬＥＤバーの後部に、ＬＥＤバーの長手方向に沿って結合溝が設けられ、ホルダクリップに、結合溝に係合可能な結合凸部が設けられることが望ましい。
【００１０】
本考案のＬＥＤ表示装置は、ホルダクリップが、２つの分割体からなる分割構造であり、２つの分割体で、２本の線材を挟持して付設することが望ましい。
【考案の効果】
【００１１】
本考案のＬＥＤ表示装置は、以上説明した構成であるため、次の効果を少なくともひとつ備えている。
＜１＞工具を必要とせず、各部材を簡単に取り付けることができる。よって、組立、分解が容易である。
＜２＞ホルダからＬＥＤ基板を引き抜くだけで一列分のＬＥＤ素子をまとめて取り出すことができる。よって、点検や部品交換が容易である。
＜３＞各ＬＥＤ素子間の相対位置が固定されている。よって、精密な画像を鮮明に表示することができる。
＜４＞各ＬＥＤバーが格子構造のスクリーンに固定されているため、ＬＥＤバー同士がぶつかることがない。よって、破損しにくい。
【図面の簡単な説明】
【００１２】
【図１】本考案に係るＬＥＤ表示装置の説明図。
【図２】ＬＥＤバーの説明図。
【図３】ホルダクリップの説明図。
【図４】本考案に係るＬＥＤ表示装置の実施例の説明図。
【図５】本考案に係るＬＥＤ表示装置の実施例の説明図。
【考案を実施するための形態】
【００１３】
以下、図面を参照しながら本考案のＬＥＤ表示装置について詳細に説明する。
説明にあたり、ＬＥＤ表示装置の画像表示側（スクリーンからみたＬＥＤバー側）を前方、その反対側（ＬＥＤバーからみたスクリーン側）を後方と定義する。
【実施例１】
【００１４】
＜１＞全体の構成（図１）。
本考案のＬＥＤ表示装置１は、ＬＥＤバー１０と、スクリーン２０と、ホルダクリップ３０と、制御装置４０（図示せず）と、を少なくとも有する。
ＬＥＤバー１０は、ホルダクリップ３０を介してスクリーン２０に連結される。ＬＥＤバー１０は、制御装置４０に電気的に接続される。
【００１５】
＜２＞ＬＥＤバー（図２）。
ＬＥＤバー１０は、棒状の発光部材である。
ＬＥＤバー１０は、ＬＥＤ基板１１と、筒状のホルダ１２とを少なくとも有し、ホルダ１２の内部に、軸方向に沿ってＬＥＤ基板１１を内挿してなる。
【００１６】
＜２．１＞ＬＥＤ基板。
ＬＥＤ基板１１は、制御装置４０からの画像信号に従ってＬＥＤ素子１１ａを発光させる、長尺の基板である。
ＬＥＤ基板１１の表面には、長手方向に所定の間隔をあけて、複数のＬＥＤ素子１１ａが配置される。
ＬＥＤ基板１１の背面または端部には接続線が接続される（図示せず）。接続線はスクリーン２０を伝うなどして制御装置４０まで延び、ＬＥＤ基板１１と制御装置４０とを電気的に接続する。
【００１７】
＜２．２＞ホルダ。
ホルダ１２は、ＬＥＤ基板１１を被覆する筒状の部材である。ホルダ１２の材質は、アルミニウムなど軽量で強度の高い素材が望ましい。
ホルダ１２は、それぞれホルダ１２の両端を貫通する、内部空間１２ａ、開放窓１２ｂ、結合溝１２ｃを少なくとも有する。
【００１８】
＜２．２．１＞内部空間。
内部空間１２ａは、ＬＥＤ基板１１を収容する空間である。
長尺状のＬＥＤ基板１１を、ホルダ１２の端部から内部空間１２ａへ差し入れて収容する。
同様にホルダ１２の端部から引き抜くことでＬＥＤ基板１１を取り外すことができる。そのため、ＬＥＤ基板１１のメンテナンスが容易である。
【００１９】
＜２．２．２＞開放窓。
開放窓１２ｂは、内部空間１２ａとホルダ１２の外部とを連通する、ＬＥＤ素子１１ａの発光を外部に射出するための窓である。
開放窓１２ｂは、ホルダ１２の前面に、ホルダ１２の長手方向に沿って設ける。開放窓１２ｂは透明な部材で被覆してもよい。
【００２０】
＜２．２．３＞結合溝。
結合溝１２ｃは、ホルダクリップ３０の結合凸部３１（後述する）と係合するための溝である。
結合溝１２ｃは、ホルダ１２の後部に、ホルダ１２の長手方向に沿って設ける。
結合溝１２ｃは、ホルダ１２の長手方向に対する断面が倒Ｔ字形状を呈し、Ｔ字の下端部が外部と連通する。
【００２１】
＜３＞スクリーン。
スクリーン２０は、水平方向に延在する複数の線材２１を、複数のワイヤ２２で上下に連結してなる格子状の部材である。複数の線材２１の間は一定の距離離間させるのが望ましい。
本例では、ステンレス製の複数の線材２１を、４本のワイヤ２２で互い違いに編み込んだ装飾金網を採用する（図１）。ただしこれに限られず、横線材を含む格子状の構造であればよい。
【００２２】
＜４＞ホルダクリップ（図３）。
ホルダクリップ３０は、ＬＥＤバー１０をスクリーン２０に連結するための治具である。
本例では、ホルダクリップ３０を分割構造とし、側面視がアラビア数字「５」状の形状の２つの分割体３０ａ、３０ａを左右対称に組み合わせてなる。
それぞれの分割体３０ａは、ＬＥＤバー１０の結合溝１２ｃに係合するための結合凸部３１と、スクリーン２０の線材２１を挟み込んで固定するための挟持溝３２とを有する。
それぞれの結合凸部３１は、アラビア数字「５」頂部の横棒に対応する。２つの分割体３０ａ、３０ａを組合わせることで、結合溝１２ｃの形状に対応したＴ字形状となる。
それぞれの挟持溝３２は、「５」の湾曲部に対応する。２つの分割体３０ａ、３０ａを組合わせることで、スクリーン２０の線材２１を挟持するリング形状となる。
尚、ホルダクリップ３０は二分割構造に限られず、例えば開放端がバネによって閉鎖される、洗濯バサミのような構造であってもよい。
【００２３】
＜５＞画像表示機能。
本考案のＬＥＤ表示装置１は、ＬＥＤバー１０の前面にマトリクス状に配置した複数のＬＥＤ素子１１ａを画素として用い、制御装置４０によって発光を制御することで、スクリーン２０の前面に動画を含む各種の画像を表示することができる。制御装置４０による表示画像の制御技術は公知なのでここでは詳述しない。
各ＬＥＤ素子１１ａはＬＥＤバー１０内に固定され、ＬＥＤバー１０はホルダクリップ３０を介してスクリーン２０の前面に固定されているため、従来技術と異なり、各ＬＥＤ素子１１ａ間の相対位置が動きにくい。従って、より緻密な画像を鮮明に表示することができる。
【００２４】
[ＬＥＤ表示装置の組立方法]
次に、ＬＥＤ表示装置の組立方法について、図面を参照しながら詳細に説明する。
【００２５】
＜１＞スクリーンの設置。
ＬＥＤ表示装置１の設置場所にスクリーン２０を吊下げる。
スクリーン２０には上下の線材２１間に隙間があるため、窓のブラインドとして使用できる。これにより、外部からの採光や風を室内に取り入れながら、同時に外部に向けて所望の画像を表示することができる。
また、窓ではなく壁面に吊り下げて使用することもできる。
【００２６】
＜２＞ホルダクリップの取付。
スクリーン２０の線材２１にホルダクリップ３０を取り付ける。
ホルダクリップ３０は、ＬＥＤバー１０の設置場所に対応させて、スクリーン２０の任意の箇所に取り付ける。
本例では、上下に隣り合う２本の線材２１、２１を２つの分割体３０ａ、３０ａの挟持溝３２、３２で挟持して固定する（図４）。
まず、上側の線材２１の上方から、挟持溝３２が下を向く向きで分割体３０ａを被せる。続いて、下側の線材２１の下方から、挟持溝３２が上を向く向きで分割体３０ａを持ち上げ、２本の線材２１、２１を挟んだ状態で両分割体３０ａ、３０ａを合体させる。
両分割体３０ａ、３０ａは、接着やテープ留めなどの公知の方法で仮留めしておく。
【００２７】
＜３＞ＬＥＤバーの連結。
スクリーン２０の同じ高さに取り付けた２つのホルダクリップ３０に、ＬＥＤバー１０を連結する。
ホルダクリップ３０の結合凸部３１の側面に、ＬＥＤバー１０端部の結合溝１２ｃを合わせ、ＬＥＤバー１０を水平方向にスライドさせて、結合凸部３１を結合溝１２ｃ内に係合させる（図５）。
結合凸部３１を結合溝１２ｃに係合させることで、結合凸部３１が結合溝１２ｃ内に制限され、２つの分割体３０ａ、３０ａが互いに固定される。
同様にしてＬＥＤバー１０を、１本につき少なくとも２つのホルダクリップ３０に連結する。
最後に、各ＬＥＤバー１０から延びた連結線を制御装置４０に接続する。
このように、本考案のＬＥＤ表示装置１は、組立が非常に容易である。
また、ＬＥＤバー１０をホルダクリップ３０から引き抜くだけで、ＬＥＤバー１０をスクリーン２０から取り外すことができる。そして、ホルダクリップ３０の位置を付け替えれば、容易にＬＥＤバー１０の設置位置を変更することができる。
さらに、スクリーン２０にＬＥＤバー１０を取り付けたまま、ホルダ１２からＬＥＤ基板１１を引き抜くだけで、一列分のＬＥＤ素子１１ａをまとめて取り外すことができる。よって、点検や部品の交換が容易である。
【００２８】
＜４＞既設のスクリーンを転用する場合。
以上はＬＥＤ表示装置１を新設する場合について説明したが、本考案のＬＥＤ表示装置１は、既設のスクリーン２０の線材２１をホルダクリップ３０で挟持し、ＬＥＤバー１０を取り付ける簡単な作業だけで、既設のスクリーン２０を表示装置に転用することができる。
【符号の説明】
【００２９】
１      ＬＥＤ表示装置
１０    ＬＥＤバー
１１    ＬＥＤ基板
１１ａ  ＬＥＤ素子
１２    ホルダ
１２ａ  内部空間
１２ｂ  開放窓
１２ｃ  結合溝
２０    スクリーン
２１    線材
２２    ワイヤ
３０    ホルダクリップ
３０ａ  分割体
３１    結合凸部
３２    挟持溝
４０    制御装置
【図１】
0003199413.tif 000003
【図２】
0003199413.tif 000004
【図３】
0003199413.tif 000005
【図４】
0003199413.tif 000006
【図５】
0003199413.tif 000007